(57)【要約】【課題】サッシのレール溝など狭い場所に溜まったり、こびりついたゴミを、早く、楽に、きれいに、またゴミを飛散させずに除去することを可能にした電気掃除機用吸込具及びその吸込具を備えた電気掃除機を提供する。【解決手段】電気掃除機の吸引パイプ先端に取り付ける吸込具において、一端側に前記吸引パイプに着脱自在に取り付けるための継手６を有し、他端側にはゴミの吸込穴３を１つ又は２つ以上有する吸込具本体１と、台座９及び台座９に植毛された複数の毛束１０を備え、毛束１０が吸込穴３の周辺に配設されたブラシ４と、吸込具本体１の内部に収納され、ブラシ４を振動させるための駆動源となる電動機５と、電動機５の出力をブラシ４に伝達するためのアーム８と、ブラシ４８を揺動可能とする弾性体１ｄとを備える。【選択図】図１
2010131107.tif 000002
【特許請求の範囲】
【請求項１】
電気掃除機の吸引パイプ先端に取り付けられる電気掃除機用吸込具において、
一端側に前記吸引パイプに着脱自在に取り付けるための継手を有し、他端側にはゴミの吸込穴を１つ又は２つ以上有する吸込具本体と、
台座及び該台座に植毛された複数の毛束を備え、前記毛束が前記吸込穴の周辺に配設されたブラシと、
前記吸込具本体の内部に収納され、前記ブラシを振動させるための駆動源となる電動機と、
前記電動機の出力を前記ブラシに伝達するためのアームと、
前記ブラシを揺動可能とする弾性体と
を備えたことを特徴とする電気掃除機用吸込具。
【請求項２】
前記吸込穴は、前記毛束と交互に並んで設けられたことを特徴とする請求項１に記載の電気掃除機用吸込具。
【請求項３】
前記吸込穴の形状は、略四角形または略楕円形であることを特徴とする請求項１又は２に記載の電気掃除機用吸込具。
【請求項４】
前記台座は、断面が略直方体であり、上面を除く長手方向の三面及び先端面に毛束を有することを特徴とする請求項１〜３の何れかに記載の電気掃除機用吸込具。
【請求項５】
前記毛束は、前記台座の面に対して放射状に植毛されていることを特徴とする請求項４に記載の電気掃除機用吸込具。
【請求項６】
前記毛束は、前記台座の面に対して放射状に植毛されるとともに、前記毛束の毛先で形成される仮想面が前記台座の面に平行な平面になるように、前記台座の面の中央部に位置する毛束の長さより端部に位置する毛束の長さを長くしたことを特徴とする請求項５に記載の電気掃除機用吸込具。
【請求項７】
前記毛束は、面の中央部に位置する毛束よりも端部に位置する毛束の剛性を高くしたことを特徴とする請求項１〜６の何れかに記載の電気掃除機用吸込具。
【請求項８】
前記吸込穴は、前記吸込具の先端部側面にも配設されたことを特徴とする請求項４〜７の何れかに記載の電気掃除機用吸込具。
【請求項９】
前記アームは、前記電動機側と前記ブラシ側に分離可能になっていることを特徴とする請求項１〜８の何れかに記載の電気掃除機用吸込具。
【請求項１０】
前記電動機は、前記吸込具本体の下部に収納されていることを特徴とする請求項１〜９の何れかに記載の電気掃除機用吸込具。
【請求項１１】
前記電動機及び前記アームは、前記吸込具本体の風路と分離されていることを特徴とする請求項１〜１０の何れかに記載の電気掃除機用吸込具。
【請求項１２】
前記吸込具本体の内部に、前記電動機の駆動源となる充電式電池を収納していることを特徴とする請求項１〜１１の何れかに記載の電気掃除機用吸込具。
【請求項１３】
吸引パイプと、
前記吸引パイプの先端に取り付けられる、請求項１〜１２の何れかに記載の電気掃除機用吸込具と
を備えたことを特徴とする電気掃除機。
【発明の詳細な説明】
【技術分野】
【０００１】
本発明は、サッシのレール溝など狭い場所に溜まったり、こびりついたゴミや汚れを掻き落とし、落とすと同時に吸引して速やかに除去する機能を有する電気掃除機用吸込具及びその吸込具を備えた電気掃除機に関するものである。
【背景技術】
【０００２】
従来、サッシのレール溝などに溜まったゴミや汚れは手作業により歯ブラシで掻き落としたり、割箸や竹串でこそぎ落とした後、電気掃除機の先細のすきまノズルで吸引して除去するか、先端にブラシを備えたすきまノズルを手動で動かすことにより、ゴミを掻き落として吸引していた（例えば、特許文献１）。或いは、電気掃除機によらず、湿らせた雑巾などで拭き取ったりしていた。
【０００３】
【特許文献１】特開平１０−１１８５９２号公報（図１参照）
【発明の開示】
【発明が解決しようとする課題】
【０００４】
しかしながら、手作業では機械力としては小さく、清掃面にこびりついたゴミや汚れは十分には引き剥がすことができずにいた。そのため硬めのブラシやヘラなどを使って無理にこそぎ落とそうとして、固い砂などで清掃面を引っ掻いて疵つけることがあった。一度、疵がつくと汚れが再付着した場合には、ますます引き剥がしにくくなる。またブラシやヘラで力を入れ過ぎると、引き剥がされたゴミが周囲に飛散してしまう。ブラシ付きすきまノズルでは、ブラシが柔らかすぎて、やはり清掃面にこびりついたゴミや汚れを清掃面から引き剥がすことは難しかった。
以上、これら一連の作業は手間がかかるうえ、屈んで行うこともあり、根気のいる重労働であった。さらには重労働であるがゆえに掃除を怠りがちになり、ゴミや汚れが堆積して除去しにくくなっていた。
【０００５】
本発明は、上記の課題を解決するためになされたものであり、例えばサッシのレール溝など狭い場所に溜まったり、こびりついたゴミを、早く、楽に、きれいに、またゴミを飛散させずに除去することを可能にした電気掃除機用吸込具及びその吸込具を備えた電気掃除機を提供することを目的とするものである。
【課題を解決するための手段】
【０００６】
本発明に係る電気掃除機用吸込具は、電気掃除機の吸引パイプ先端に取り付けられる電気掃除機用吸込具において、一端側に前記吸引パイプに着脱自在に取り付けるための継手を有し、他端側にはゴミの吸込穴を１つ又は２つ以上有する吸込具本体と、台座及び該台座に植毛された複数の毛束を備え、前記毛束が前記吸込穴の周辺に配設されたブラシと、前記吸込具本体の内部に収納され、前記ブラシを振動させるための駆動源となる電動機と、前記電動機の出力を前記ブラシに伝達するためのアームと、前記ブラシを揺動可能とする弾性体とを備えたものである。
【発明の効果】
【０００７】
本発明に係る電気掃除機用吸込具は、電気掃除機の吸引パイプ先端に取り付ける吸込具において、上記の構成からなる吸込具本体、ブラシ、電動機、アーム及び弾性体を備えたことにより、サッシのレール溝など狭い場所に溜まったり、こびりついたゴミや汚れを効率的に除去することができる。特に、ブラシは弾性体により揺動可能になっており、清掃の際にブラシを揺動させながら、振動を加えることができることから、この点からも汚れ等を効率良く除去することができる。
【発明を実施するための最良の形態】
【０００８】
実施の形態１．
図１は本実施の形態１に係る電気掃除機用吸込具の側面図を示すものであり、図２は本実施の形態１に係る電気掃除機用吸込具のブラシを下面から見た図を示すものである。
図１の電気掃除機用吸込具は吸込具本体１を備えている。吸込具本体１は、その一端側には吸引パイプに着脱自在に取り付けるための継手６と、他端側には吸込部２とを有する。吸込部２は、ゴミを吸い込む吸込穴３とブラシ４とを備えている。ブラシ４は、吸込穴３の外周に配設された台座９及び台座９に植毛された毛束１０から構成されている。更に、この電気掃除機用吸込具は、吸込具本体１の下部に収納され、ブラシ４を振動させるための震動源となる電動機５と、電動機５を動かすために電気掃除機本体から電力を供給する経路である電極７と、電動機５と電極７をつなぐ配線１１と、電動機５の出力をブラシ４に伝達するためのアーム８とを備えている。
【０００９】
また、吸込具本体１は、継手６を介して吸引パイプに突き合わせて連結する円筒部１ａと、円筒部１ａから徐々に略長方形状に細く絞り込んだノズル部１ｂとから構成されている。円筒部１ａは、その一部に電動機５を収納する収納部１ｃと、ブラシ４を揺動可能とする弾性体１ｄを備えている。この弾性体１ｄは、吸込具本体１の円筒部１ａの長さ方向の途中に挿入されるようにして設けられた円筒状の弾性部材から構成されている。
また、電動機５の回転軸には例えば錘（図示せず）が偏心した状態で取り付けられており、アーム８は電動機５とブラシ４とを接続するようにして配置されており、電動機５の回転軸が回転すると振動が発生し、その振動がアーム８を介してブラシ４に伝達される。
【００１０】
また、吸込具本体１は、その内部に仕切板１６が設けられている。この仕切板１６は、電動機５及びアーム８を、ノズル部１ｂ、円筒部１ａ、弾性体１ｄ及び円筒部１ａによって形成される風路から隔離するための仕切板として機能するものである。
【００１１】
次に、本実施の形態１による動作について説明する。
本実施の形態１において、電気掃除機本体の操作部に設けられたスイッチ（図示せず）を押すと、電極７と配線１１を通して電力が供給されて電動機５が作動し始め、その振動がアーム８を介してブラシ４に伝達され、ブラシ４は高周波で細かく振動する。ここで、ブラシ４をサッシのレール溝など狭い清掃面に軽く押し当てると、ブラシ４の振動による摩擦力が清掃面にこびりついたゴミに作用して、ゴミは引き剥がされ、引き剥がされるのと同時に、吸込穴３に吸引され、吸引パイプを通って電気掃除機本体内の集塵室（図示せず）に捕集される。また、ブラシ４は、弾性体１ｄにより揺動可能になっており、清掃の際にブラシ４を例えば手動により揺動させながら、電動機５による高周波で細かく振動させることができることから、この点からも汚れ等を効率良く除去することができる。
【００１２】
以上のように、本実施の形態１による電気掃除機用吸込具は、ブラシ４を揺動させながら清掃面に軽く押し当てて高周波で細かく振動させて、こびりついたゴミや汚れを叩いて細かく砕いたり、摩擦力で引き剥がしてそのまま吸込穴から吸引して吸い出すため、清掃面を疵つけることなく、引き剥がしたゴミや汚れを飛散させずに除去することができる。清掃面を疵つけないため、汚れの再付着も少ない。またゴミの引き剥がしを電動で行えるため、従来の手作業に比べて非常に楽に、短時間で掃除することができる。
【００１３】
また、電動機５は、吸込具本体１の下部に収納され、その先端部からアーム８を延ばしてブラシ４に連結されており、これにより、吸込具本体１の他の場所に収納するよりもアーム８の長さは最短となるため、ブラシ４に力が作用したとき、例えばアーム８と電動機５の結合部など強度的に弱い部位に過大な負荷がかからなくて済み、小型化が可能である。
【００１４】
また、電動機５及びアーム８は、吸込具本体１の内部の風路と分離されているため、電動機５やアーム８が吸込部２より吸引されたゴミや埃などが電動機５に付着したりしないため、たとえば埃への引火を防ぐことができ、安全である。なお、仕切板１６は、電動機５及びアーム８を風路から分離する形態であれば良く、その形態は本実施の形態１に示されたものに限定されない。
【００１５】
ところで、上記の説明においては、吸込部２が図２のように吸込穴３を１つ有する場合について説明したが、図３のように吸込穴３は２つ以上（図では３つ）でも同様の効果が得られる。即ち、台座９に開口部を複数個形成し、その開口部を吸込穴３ａ〜３ｃとし、そして、吸込穴３ａ〜３ｃの周囲に毛束１０を植毛して図３のブラシ４を形成する。
【００１６】
実施の形態２．
上記の実施の形態１では、吸込穴３が吸込部２全体に対して占める面積が大きく、ブラシ４の振動によりゴミを引き剥がす領域が狭いが、次に、一度に広範囲にわたってゴミを引き剥がすことのできるようにした例を実施の形態２として説明する。
【００１７】
図４は、本実施の形態２に係る電気掃除機用吸込具のブラシ先端面から見た図を示すものである。
図４において、電気掃除機用吸込具は複数の吸込穴３を有し、吸込穴３の周辺に毛束１０が配設されている。即ち、本実施の形態２においては、台座９に開口部を形成して吸込穴３を形成するとともに、その周囲に毛束１０が植毛されている。ここで、図の横方向をＸ軸、縦方向をＹ軸とする。本実施の形態２では、Ｘ軸方向、Ｙ軸方向ともに、毛束１０、吸込穴３、毛束１０、吸込穴３、毛束１０・・・と毛束１０と吸込穴３とが交互に並んで配設される。ある場所でのブラシ４の毛束１０により引き剥がされたゴミは、その近くに配設された吸込穴３から吸引される。ブラシ４の毛束１０及び吸込穴３が、１つの吸込面に対して多く配設されるため、一度に清掃できる範囲が広がり、また一度に多くの場所で吸引することができる。
【００１８】
以上のように、本実施の形態２による電気掃除機用吸込具は、吸込穴３を複数個備えており、かつ、それらが交互に配設されているため、吸込面に対して広範囲にわたって一度にゴミを引き剥がすことができ、また、それぞれの吸込穴３の周囲に配設された毛束１０により引き剥がされたゴミを効率よく吸引することができ、上記の実施の形態１に比べて短時間で掃除することができる。
【００１９】
また、実施の形態１、２において、吸込穴３の形状は、略四角形または略楕円形であり、毛束１０は、吸込穴３の形状に応じて分布して配設することができる。また、吸込穴３の大きさは、吸込効率を考慮して、吸込面における平面方向の位置によって大きさを変えることもできる。
【００２０】
実施の形態３．
上記の実施の形態１、２では、台座９の下面にのみ毛束１０が植毛されている例を説明したが、台座９の他の面にも毛束を植毛して同時に４面を掃除できるようにした例を実施の形態３として説明する。
【００２１】
図５は、本実施の形態３のブラシ４が適用されるブラシ４の設置状態を示した説明図である。図５に示されるように、ブラシ４は吸込具本体１の吸込部２に近接して配置されている。なお、このブラシ４の形態は後述の実施の形態４及び５にも同様に適用される。
【００２２】
図６は、本実施の形態３に係る電気掃除機用吸込具のブラシ先端面から見た図を示すものである。図６において、ブラシ４は、台座９の下面に植毛された毛束１０ｄと、両側面に植毛された毛束１０ｅ及び１０ｆと、先端面に植毛された毛束１０ｇとを備えている。
【００２３】
次に、本実施の形態３による動作について説明する。
本実施の形態３において、ブラシ４の台座９は断面が略直方体形状であり、その下面と両側面にそれぞれ毛束１０ｄ、１０ｅ、１０ｆが植毛されているため、溝の３面を同時に掃除することができる。またレール端部を掃除する際には、ブラシ４の先端面に植毛された毛束１０ｇをレール端部側に押し当てることにより、同時に４面を掃除することができ、さらに短時間で掃除することができる。
【００２４】
以上のように、本実施の形態３による電気掃除機用吸込具は、ブラシ４の台座９の下面、両側面及び先端面の４面に毛束１０ｄ〜１０ｇを備えているため、サッシのレール溝などを掃除する際に、複数の清掃面のゴミや汚れを同時に引き剥がし、除去できるため、上記の実施の形態１及び２に比べてさらに短時間で掃除することができる。
【００２５】
実施の形態４．
上記の実施の形態３では、毛束が台座９の面に対して垂直に植毛されている例を説明したが、サッシのレール溝などの隅にまで毛先が届くように毛束を植毛した例を実施の形態４として説明する。
【００２６】
図７は、本実施の形態４に係る電気掃除機用吸込具のブラシ先端面から見た図を示すものである。図７において、ブラシ４は台座９の下面に放射状に広がって植毛された毛束１０ｄと、両側面に放射状に広がって植毛された毛束１０ｅ及び１０ｆと、先端面に放射状に広がって植毛された毛束１０ｇ（図示せず）を備えている。
【００２７】
次に、本実施の形態４による動作について説明する。
本実施の形態４において、ブラシ４の台座９は断面が略直方体形状であり、その下面と両側面にそれぞれ毛束１０ｄ、１０ｅ、１０ｆが放射状に広がって植毛されているため、溝の３面を同時に掃除することができ、かつレール溝の隅にまで毛先が届き、隅に付着したゴミや汚れを掻き出すことができる。またレール端部を掃除する際には、ブラシ４の先端面に放射状に広がって植毛された毛束１０ｇ（図示せず）の毛先が端部の隅にまで届いて、隅に付着したゴミや汚れを掻き出しながら同時に４面を掃除することができ、ゴミや汚れがつきやすく、取れにくい隅々まできれいに掃除することができる。
【００２８】
以上のように、本実施の形態４による電気掃除機用吸込具は、ブラシ４の台座９の下面、両側面及び先端面の４面に放射状に広がって毛束が植毛されているため、サッシのレール溝などを掃除する際に、複数の清掃面の隅々までゴミや汚れを掻き出して除去でき、上記の実施の形態３に比べて、隅々まできれいに掃除することができる。
【００２９】
実施の形態５．
上記の実施の形態４では、毛束１０は、台座９の４面に放射状に広がって毛束が植毛され、サッシのレール溝などの隅にまで毛先を届きやすくした例について説明したが、さらに隅にまで確実に毛先を届かせたり、掻き出す力を高めて、ゴミや汚れを掻き出す機能を高めた例を実施の形態５として説明する。
【００３０】
図８は、本実施の形態５に係る電気掃除機用吸込具のブラシ先端面から見た図を示すものである。図８において、ブラシ４は台座９の下面に放射状に広がって植毛された毛束１０ｄと、両側面に放射状に広がって植毛された毛束１０ｅ及び１０ｆと、先端面に放射状に広がって植毛された毛束１０ｇ（図示せず）を備えている。毛束１０ｄ、１０ｅ、１０ｆ、１０ｇのそれぞれの毛先で形成される仮想面１１ａ、１１ｂ、１１ｃ及び１１ｄ（１１ｄは図示せず）は、台座９の面に平行な平面になるように、台座９の面の中央部に位置する毛束の長さより端部に位置する毛束の長さを長くしている。また、各面の中央部に位置する毛束１２ｄ、１３ｄ、１４ｄ及び１５ｄ（１５ｄは図示せず）よりも端部に位置する毛束１２ｅ、１２ｆ、１３ｅ、１３ｆ、１４ｅ、１４ｆ及び１５ｅ、１５ｆ（１５ｅ、１５ｆは図示せず）の剛性を高くしている。
【００３１】
次に、本実施の形態５による動作について説明する。
本実施の形態５において、ブラシ４の台座９は断面が略直方体形状であり、その下面と両側面にそれぞれ毛束１０ｄ、１０ｅ、１０ｆが放射状に広がって植毛されている。またそれぞれの毛束の毛先で形成される仮想面は、台座９の面に平行な平面になるように、台座９の面の中央部に位置する毛束の長さより端部に位置する毛束の長さを長くしている。したがって溝の３面を同時に掃除することができ、かつレール溝の隅にまで確実に毛先が届き、隅に付着したゴミや汚れを掻き出すことができる。またレール端部を掃除する際には、ブラシ４の先端面に放射状に広がって植毛された毛束１０ｇ（図示せず）の毛先が、確実に端部の隅にまで届いて、隅に付着したゴミや汚れを掻き出しながら同時に４面を掃除することができ、ゴミや汚れがつきやすく、取れにくい隅々まできれいに掃除することができる。
【００３２】
さらに本実施の形態５においては、台座９の面の中央部に位置する毛束よりも端部に位置する毛束の剛性を高くしている。剛性を高くする方法として素材を変えてもよいし、毛の径を大きくしてもよい。また剛性は大小二種類でもよいし、それ以上に分けてもよい。端部に位置する毛束の剛性を高くすることにより、隅のゴミや汚れを掻き出す力が大きくなるため、吸込具を清掃面に強く押し付けることなく、軽く押し当てるだけで、隅々まできれいに掃除することができる。また疲労劣化しやすい中央部の毛束と、端部の毛束の耐用期間を均等化することができる。
【００３３】
以上のように、本実施の形態５による電気掃除機用吸込具は、ブラシ４の台座９の下面、両側面及び先端面の４面に放射状に広がって毛束が植毛され、かつ中央部に位置する毛束の長さより端部に位置する毛束の長さを長くして、毛束の毛先で形成される仮想面を、台座９の面に対して平行な平面としているため、サッシのレール溝などを掃除する際に、複数の清掃面の隅々まで確実に毛先を届かせ、ゴミや汚れを掻き出して除去できる。また台座９の面の端部に位置する毛束の剛性を高くすることにより、隅のゴミや汚れを掻き出す力を大きくすることができるため、上記の実施の形態４に比べて、吸込具を清掃面に軽く押し当てるだけで、さらに隅々まできれいに掃除することができる。また疲労劣化しやすい中央部の毛束と、端部の毛束の耐用期間を均等化することができる。
【００３４】
実施の形態６．
上記の実施の形態１〜５では、吸込具の下面のみに吸込穴３を配設するものであるが、吸込具の側面に吸込穴を設け、側面に配設された毛束により掻き出されたゴミを吸引できるようにした例を実施の形態６として説明する。
【００３５】
図９は、本実施の形態６に係る電気掃除機用吸込具先端部の側面図を示すものである。図９において、吸込具本体１の先端部側面（ノズル部側面）に吸込穴３ｄが配設されている。
【００３６】
次に、本実施の形態６による動作について説明する。
本実施の形態６においては吸込具先端部の側面に吸込穴３ｄが配設されているため、側面に配設された毛束によって掻き出されたゴミを、掻き出されたとほぼ同時に吸引することができ、さらに短時間で掃除することができる。
【００３７】
以上のように、本実施の形態６による電気掃除機用吸込具は、吸込具先端部の側面に吸込穴３ｄが配設されているため、サッシのレール溝などを掃除する際に、たとえばレール溝の側面に付着したゴミや汚れを引き剥がし、それとほぼ同時に、引き剥がしたゴミや汚れを吸引することができるため、上記の実施の形態１〜５に比べてさらに短時間で掃除することができる。
【００３８】
実施の形態７．
次に、上記の吸込具本体１の変形例を実施の形態７として説明する。
図１０は、本実施の形態７に係る電気掃除機用吸込具の側面図を示すものであり、以下の説明では図１との相違点を中心に説明する。
電動機５の振動をブラシ４に伝達するためのアーム８は、例えば２個のアーム部材から構成されており、その端部にそれぞれ係合部８ａ、８ｂを設け、更に、係合部８ａ、８ｂに貫通孔を設けてボルト等の固定部材８ｃにより両部材を固定している。また、吸込具本体１の内部、例えば収納部１ｃには充電式電池１７が収納されている。充電式電池１７は電極７からの電力により充電され、電動機５を動かすための駆動電源となる。
【００３９】
以上のように、本実施の形態７による電気掃除機用吸込具は、アーム８は電動機５側とブラシ４側とに分離可能に構成されており、ブラシ４の種類をいくつか用意しておき、清掃面の形状や汚れのこびりつき具合に応じて、適切なブラシを選択することができる。またブラシ４が壊れたり、長期間の使用により疲労劣化した場合に、新品のブラシ４と交換することができる。ブラシ４が不要な清掃面や、ブラシで疵つくような清掃面を掃除する際には、ブラシ４を外すことにより、吸引だけの掃除も可能である。なお、アーム８は、上記の形態に代えて、電動機５に対して着脱自在に取り付けるようにしても、同様な効果が得られる。
【００４０】
また、吸込具本体１の内部に、電動機５を動かすための充電式電池１７を収納しており、このため、掃除機本体を稼動させなくても吸込具本体１だけを手に持ってブラシ４を動かしながらゴミや汚れを掻き出すことができるため、非常に軽く、小回りがきいて便利である。
【００４１】
実施の形態８．
次に、上記の実施の形態１〜７の電気掃除機用吸込具を接続した電気掃除機を実施の形態８として説明する。
図１１は、本実施の形態８に係る電気掃除機の斜視図である。
電気掃除機本体２１の内部には、電動送風機、電力制御基板、コードリール等（図示せず）が内蔵されている。また、電気掃除機本体２１の内部の前面側には電動送風機によって吸引された塵埃を集積するための集塵室（図示せず）が設けられている。電気掃除機本体２１の前面にはホース２２が接続されており、ホース２２の他端には取手部２３、パイプ２４及びパイプ２５が接続されている。取手部２３には電気掃除機を使用するときに使用者が握るための取手が設けられ、取手部２３の表面には電気掃除機本体２１内部の電動送風機の回転の強弱を切り替えるための操作部２３ａが設けられている。パイプ２５の先端には電気掃除機用吸込具２０が着脱自在に接続されている。電気掃除機用吸込具２０は、上記の実施の形態１〜７の電気掃除機用吸込具から構成されている。上記のように、電気掃除機用吸込具は電動機５を内蔵しており、電動機５に電力を供給するためにホース２２、取手部２３、パイプ２４及びパイプ２５に電線（図示せず）が配設されており、電動機５に供給する電力は操作部２３ａを操作することによって制御できるようになっている。
【００４２】
以上のように、本実施の形態８に係る電気掃除機は、上記の実施の形態１〜７の電気掃除機用吸込具を備えており、ブラシ４を清掃面に軽く押し当てて高周波で細かく振動させて、こびりついたゴミや汚れを叩いて細かく砕いたり、摩擦力で引き剥がしてそのまま吸込部２から吸引して吸い出すため、清掃面を疵つけることなく、引き剥がしたゴミや汚れを飛散させずに除去することができる。清掃面を疵つけないため、汚れの再付着も少ない。またゴミの引き剥がしを電動で行えるため、従来の手作業に比べて非常に楽に、短時間で掃除することができる。
【図面の簡単な説明】
【００４３】
【図１】本実施の形態１に係る電気掃除機用吸込具の側面図である。
【図２】本実施の形態１に係る電気掃除機用吸込具の吸込穴を下面側から見た図である。
【図３】本実施の形態１に係る電気掃除機用吸込具の吸込穴を下面側から見た図である。
【図４】本実施の形態２に係る電気掃除機用吸込具の吸込穴を下面側から見た図である。
【図５】本実施の形態３に係る電気掃除機用吸込具の先端部の側面図である。
【図６】本実施の形態３に係る電気掃除機用吸込具のブラシ先端面から見た図である。
【図７】本実施の形態４に係る電気掃除機用吸込具のブラシ先端面から見た図である。
【図８】本実施の形態５に係る電気掃除機用吸込具のブラシ先端面から見た図である。
【図９】本実施の形態６に係る電気掃除機用吸込具の先端部の側面図である。
【図１０】本実施の形態７に係る電気掃除機用吸込具の側面図である。
【図１１】本実施の形態８に係る電気掃除機の斜視図である。
【符号の説明】
【００４４】
１  吸込具本体、２  吸込部、３  吸込穴、４  ブラシ、５  電動機、６  継手、
７  電極、８  アーム、９  台座、１０、１０ｄ〜１０ｆ  毛束、１１  配線、１２ｄ〜１２ｆ  下面の毛束、１３ｄ〜１３ｆ  側面の毛束、１４ｄ〜１４ｆ  側面の毛束、
１６  仕切板、１７  充電式電池、２０  電気掃除機用吸込具。
【図１】
2010131107.tif 000003
【図２】
2010131107.tif 000004
【図３】
2010131107.tif 000005
【図４】
2010131107.tif 000006
【図５】
2010131107.tif 000007
【図６】
2010131107.tif 000008
【図７】
2010131107.tif 000009
【図８】
2010131107.tif 000010
【図９】
2010131107.tif 000011
【図１０】
2010131107.tif 000012
【図１１】
2010131107.tif 000013